(57)【要約】【課題】  携帯端末の簡易な操作で、スケジュール情報の更新を行なうことが可能な行き先管理のためのプログラム、及び装置を提供する。【解決手段】  課題を解決するために、グループウェア管理サーバ１と通信可能に接続され、携帯端末４を介しグループウェアのメンバの行き先を管理するサーバに、携帯端末４についての現在の位置情報と現在の時間情報とに基づいて、携帯端末４に表示させるメニュー項目の絞り込みを行なう表示メニュー絞り込み処理と、メニュー項目を携帯端末４に表示させるためのデータを生成して送信する表示メニュー生成処理とを実行させる。【選択図】図１
2006054589.tif 000002
【特許請求の範囲】
【請求項１】
携帯端末において選択可能に表示させるメニュー項目を表示メニュー記憶手段に記憶する表示メニュー記憶処理と、
前記携帯端末についての現在の位置情報を取得する位置情報取得処理と、
現在の時間情報を取得する時間情報取得処理と、
前記位置情報取得処理によって取得した現在の位置情報と前記時間情報取得処理によって取得した現在の時間情報とに基づいて、前記表示メニュー記憶手段に記憶されているメニュー項目の絞り込みを行なう表示メニュー絞り込み処理と、
該表示メニュー絞り込み処理によって得られたメニュー項目を前記携帯端末に表示させるためのデータを生成して送信する表示メニュー生成処理と、
をコンピュータに実行させることを特徴とするスケジュール変更のためのプログラム。
【請求項２】
前記表示メニュー記憶手段は、前記携帯端末についての位置情報と時間情報とに対応するメニュー項目を記憶し、
前記表示メニュー絞り込み処理は、前記表示メニュー記憶手段に記憶されているメニュー項目についての前記位置情報及び時間情報と、前記位置情報取得処理によって取得した現在の位置情報及び前記時間情報取得処理によって取得した現在の時間情報と、を比較する比較処理と、
該比較処理の結果が一致する前記メニュー項目を抽出することによって絞り込みを行なう処理と、
を含むことを特徴とする請求項１に記載のスケジュール変更のためのプログラム。
【請求項３】
前記位置情報取得処理によって取得した過去の位置情報と、前記時間情報取得処理によって取得した過去の時間情報とを履歴情報記憶手段に記憶する履歴情報記憶処理と、
該履歴情報記憶手段に記憶されている１の過去の時間情報に対応する過去の位置情報と、他の過去の時間情報に対応する過去の位置情報とを比較し、該比較結果から前記携帯端末の移動する方面を判別する移動方面判別処理と、
移動方面に応じた前記メニュー項目を移動方面表示メニュー記憶手段に記憶する移動方面表示メニュー記憶処理と、
該移動方面表示メニュー記憶手段に記憶されているメニュー項目であって前記移動方面判別処理によって判別された方面に対応するメニュー項目と、前記表示メニュー絞り込み処理によって得られたメニュー項目と、を比較する比較処理と、
該比較結果が一致するメニュー項目についての前記データを前記表示メニュー生成処理によって生成して送信する処理と、
をコンピュータに実行させることを特徴とする請求項２に記載のスケジュール変更のためのプログラム。
【請求項４】
前記携帯端末についての位置から所定の位置までの移動にかかる所要時間を所要時間記憶手段に記憶する所要時間記憶処理と、
該所要時間記憶手段から、前記位置情報取得処理によって取得した現在の位置情報に対応する前記所定の位置までの前記所要時間を読み出し、該読み出した所要時間と前記時間情報取得処理によって取得した現在の時間情報とから、前記所定の位置に到着する時刻を算出する到着時間算出処理と、
をコンピュータに実行させることを特徴とする請求項１から３のいずれか一項に記載のスケジュール変更のためのプログラム。
【請求項５】
携帯端末において選択可能に表示させるメニュー項目を記憶する表示メニュー記憶手段と、
前記携帯端末についての現在の位置情報を取得する位置情報取得手段と、
現在の時間情報を取得する時間情報取得手段と、
前記位置情報取得手段によって取得した現在の位置情報と前記時間情報取得手段によって取得した現在の時間情報とに基づいて、前記表示メニュー記憶手段に記憶したメニュー項目から前記携帯端末に表示するメニュー項目を生成するメニュー項目生成手段と、
該メニュー項目生成手段によって得られたメニュー項目を前記携帯端末に表示させるためのデータを生成して送信する表示メニュー生成手段と、
を備えることを特徴とするスケジュール変更装置。
【発明の詳細な説明】
【技術分野】
【０００１】
本発明は、複数のスケジュールを管理するグループウェアの行き先管理のためのプログラム、及び装置に関する。
【背景技術】
【０００２】
近年、インターネット等のネットワーク環境が整備されるにともない、コンピュータや携帯端末とネットワークを利用して、複数の人間が情報を共有してコミュニケーションを図ることを目的としたグループウェアが広く使用されている。
【０００３】
例えば、グループウェアの機能の一つであるスケジュール管理は、所定のサーバに登録された複数のメンバーが、携帯端末からＷｅｂブラウザ等でサーバにアクセスし、スケジュールを随時更新することができ、また、サーバに通信可能に接続された情報処理装置や携帯端末等から、他のメンバーのスケジュールを確認できる。
【０００４】
サービス情報の受信者が現在いる位置に関連したサービス情報を簡単に得られるようにするサービス情報配信装置もある。（例えば、特許文献１参照。）
【特許文献１】特開２００２−０７３６７２号公報
【発明の開示】
【発明が解決しようとする課題】
【０００５】
しかし、固定端末のみからスケジュール情報を更新する場合には、外出時などにスケジュールの変更があった場合に対応することができないという問題があった。
また、携帯端末を用いてスケジュール情報をサーバに送信し、サーバが有するスケジュール情報を更新する場合、携帯端末での操作、例えば、スケジュールを変更する場合に変更後のスケジュールを直接入力する操作などは、入力する作業が煩わしく、スケジュールの更新作業を後回しにせざる終えないこともある。
【０００６】
以上のように、スケジュールに変更が生じた場合に、簡単にサーバが有するスケジュール情報を変更する手段がないために、スケジュール情報が古いままとなってしまう問題があった。
【０００７】
本発明は、上述した問題に鑑みてなされたものであり、その解決しようとする課題は、携帯端末の簡易な操作で、スケジュール情報の更新を行なうことが可能な行き先管理のためのプログラム、及び装置を提供することである。
【課題を解決するための手段】
【０００８】
請求項１に記載の発明は、携帯端末において選択可能に表示させるメニュー項目を表示メニュー記憶手段に記憶する表示メニュー記憶処理と、前記携帯端末についての現在の位置情報を取得する位置情報取得処理と、現在の時間情報を取得する時間情報取得処理と、前記位置情報取得処理によって取得した現在の位置情報と前記時間情報取得処理によって取得した現在の時間情報とに基づいて、前記表示メニュー記憶手段に記憶されているメニュー項目の絞り込みを行なう表示メニュー絞り込み処理と、該表示メニュー絞り込み処理によって得られたメニュー項目を前記携帯端末に表示させるためのデータを生成して送信する表示メニュー生成処理と、をコンピュータに実行させることを特徴とするスケジュール変更のためのプログラムである。
【０００９】
請求項１に記載の発明によると、前記表示メニュー記憶手段に記憶されている表示メニューについて、前記位置情報取得処理によって取得した現在の位置情報と前記時間情報取得処理によって取得した現在の時間情報とに基づいて絞り込みを行なうことによって、表示メニューの数を削減することが可能となり、前記携帯端末において、表示メニュー生成処理によって送信された前記データに基づいて表示された選択可能なメニュー項目の選択操作を容易にすることが可能となる効果を奏する。
【００１０】
請求項２に記載の発明は、前記表示メニュー記憶手段は、前記携帯端末についての位置情報と時間情報とに対応するメニュー項目を記憶し、前記表示メニュー絞り込み処理は、前記表示メニュー記憶手段に記憶されているメニュー項目についての前記位置情報及び時間情報と、前記位置情報取得処理によって取得した現在の位置情報及び前記時間情報取得処理によって取得した現在の時間情報と、を比較する比較処理と、該比較処理の結果が一致する前記メニュー項目を抽出することによって絞り込みを行なう処理と、を含むことを特徴とする請求項１に記載のスケジュール変更のためのプログラムである。
【００１１】
請求項２に記載の発明によると、請求項１と同様に、前記表示メニュー記憶手段に記憶されている表示メニューについて、前記位置情報取得処理によって取得した現在の位置情報と前記時間情報取得処理によって取得した現在の時間情報とに基づいて絞り込みを行なうことによって、表示メニューの数を削減することが可能となり、前記携帯端末において、表示メニュー生成処理によって送信された前記データに基づいて表示された選択可能なメニュー項目の選択操作を容易にすることが可能となる効果を奏する。
【００１２】
また、前記位置情報と前記時間情報とに基づいて表示メニュー絞り込み処理が行なわれるので、前記携帯端末の所有者にとって必要と思われる表示メニューのみに表示メニューを絞り込むことが可能となる効果を奏する。
【００１３】
請求項３に記載の発明は、前記位置情報取得処理によって取得した過去の位置情報と、前記時間情報取得処理によって取得した過去の時間情報とを履歴情報記憶手段に記憶する履歴情報記憶処理と、該履歴情報記憶手段に記憶されている１の過去の時間情報に対応する過去の位置情報と、他の過去の時間情報に対応する過去の位置情報とを比較し、該比較結果から前記携帯端末の移動する方面を判別する移動方面判別処理と、移動方面に応じた前記メニュー項目を移動方面表示メニュー記憶手段に記憶する移動方面表示メニュー記憶処理と、該移動方面表示メニュー記憶手段に記憶されているメニュー項目であって前記移動方面判別処理によって判別された方面に対応するメニュー項目と、前記表示メニュー絞り込み処理によって得られたメニュー項目と、を比較する比較処理と、該比較結果が一致するメニュー項目についての前記データを前記表示メニュー生成処理によって生成して送信する処理と、をコンピュータに実行させることを特徴とする請求項２に記載のスケジュール変更のためのプログラムである。
【００１４】
請求項３に記載の発明によると、請求項１に記載の発明による効果に加えて、前記移動方面判別処理によって判別された前記携帯端末の移動する方面に応じた前記メニュー項目と、前記表示メニュー絞り込み処理によって得られたメニュー項目とを比較して一致するメニュー項目のみを抽出することによって、更に、前記携帯端末の使用者の行動に応じた必要最小限のメニュー項目に絞り込むことが可能となる効果を奏する。
【００１５】
請求項４に記載の発明は、前記携帯端末についての位置から所定の位置までの移動にかかる所要時間を所要時間記憶手段に記憶する所要時間記憶処理と、該所要時間記憶手段から、前記位置情報取得処理によって取得した現在の位置情報に対応する前記所定の位置までの前記所要時間を読み出し、該読み出した所要時間と前記時間情報取得処理によって取得した現在の時間情報とから、前記所定の位置に到着する時刻を算出する到着時間算出処理と、をコンピュータに実行させることを特徴とする請求項１から３のいずれか一項に記載のスケジュール変更のためのプログラムである。
【００１６】
請求項４に記載の発明によると、請求項１から３に記載の発明による効果に加えて、前記到着時間算出処理によって、前記所要時間記憶手段から読み出した所要時間と前記時間情報取得処理によって取得した現在の時間情報とから、前記所定の位置に到着する時刻を算出することによって、スケジュールを変更すると同時に、前記携帯端末についての現在の位置から前記所定の位置までの到着時間についての情報も更新が可能となる効果を奏する。
【００１７】
請求項５に記載の発明は、携帯端末において選択可能に表示させるメニュー項目を記憶する表示メニュー記憶手段と、前記携帯端末についての現在の位置情報を取得する位置情報取得手段と、現在の時間情報を取得する時間情報取得手段と、前記位置情報取得手段によって取得した現在の位置情報と前記時間情報取得手段によって取得した現在の時間情報とに基づいて、前記表示メニュー記憶手段に記憶したメニュー項目から前記携帯端末に表示するメニュー項目を生成するメニュー項目生成手段と、該メニュー項目生成手段によって得られたメニュー項目を前記携帯端末に表示させるためのデータを生成して送信する表示メニュー生成手段と、を備えることを特徴とするスケジュール変更装置である。
【００１８】
請求項５に記載の発明によると、前記表示メニュー記憶手段に記憶されている表示メニューについて、前記位置情報取得手段によって取得した現在の位置情報と前記時間情報取得手段によって取得した現在の時間情報とに基づいてメニュー項目を生成することによって、表示メニューの数を削減することが可能となり、前記携帯端末において、表示メニュー生成手段によって送信された前記データに基づいて表示された選択可能なメニュー項目の選択操作を容易にすることが可能となる効果を奏する。
【発明の効果】
【００１９】
以上のように、本発明によると、携帯端末の簡易な操作で、スケジュール情報の更新を行なうことが可能な行き先管理のためのプログラム、及び装置を提供することが可能となる。
【発明を実施するための最良の形態】
【００２０】
以下、本発明の実施形態について図１から図１４に基づいて説明する。
図１は、本実施例に係る全体構成の例の概要を示す図である。
同図に示す本実施例に係る全体構成は、登録されたメンバ（以下、グループウェアのメンバと言う）についての情報を管理するグループウェア管理サーバ１と、グループウェア管理サーバ１と例えばＬＡＮ（Ｌｏｃａｌ  Ａｒｅａ  Ｎｅｔｗｏｒｋ）やインターネットによって通信可能に接続された固定端末２と、グループウェア管理サーバ１と例えばＬＡＮやインターネット又は専用回線等によって通信可能に接続され、携帯端末４を介しグループウェアのメンバの行き先を管理する行き先管理サーバ３と、から成る。
【００２１】
グループウェア管理サーバ１は、図示しない記憶装置にグループウェアのメンバについてのスケジュール情報の管理の他、電子回覧板や掲示板等のサービスを提供する。例えば、固定端末２からスケジュール情報の要求があった場合には、要求のあった固定端末２に対して、上述の図示しない記憶装置に格納されているスケジュール情報を読出し、例えばＷｅｂブラウザに表示させるためのデータを生成して送信する。
【００２２】
また、行き先管理サーバからスケジュール情報の変更通知を受け取ると、スケジュール情報変更後の情報を取得して、図示しない記憶装置の所定のアドレスに格納されているスケジュール情報を更新する処理を行なう。
【００２３】
行き先管理サーバ３は、携帯端末４から現在位置を取得すると同時に、現在の時間を取得し、携帯端末４の現在の位置や現在の時間などから携帯端末４上に表示させるデータを生成して送信し、さらに、携帯端末４から送信されるスケジュール情報の更新データを取得してグループウェア管理サーバ１に通知する。
【００２４】
グループウェアのメンバは、携帯端末４上で動作するソフトウェア（例えば、Ｗｅｂブラウザなど）を用いて行き先管理サーバ３にアクセスし、行き先管理サーバ３から送られる表示データに応じてスケジュールの変更を行なうこととなる。
【００２５】
また、グループウェアのメンバについてのスケジュール情報は、固定端末２上で動作するソフトウェア（例えば、Ｗｅｂブラウザなど）からグループウェア管理サーバ１にアクセスすることによって閲覧が可能となる。例えば、固定端末２上で動作するＷｅｂブラウザからグループウェア管理サーバ１が有する所定のＵＲＬ（Ｕｎｉｆｏｒｍ  Ｒｅｓｏｕｒｃｅ  Ｌｏｃａｔｏｒ）にアクセスがされると、グループウェア管理サーバ１は、固定端末２からの要求に応じて、上記記憶装置の所定のアドレスに格納されているスケジュール情報を読み出して表示データを生成し、要求のあった固定端末２に送信することとなる。
【００２６】
以上の説明において、グループウェア管理サーバ１と行き先管理サーバ３とは独立した装置として記載しているが、これに限定されない。例えば、グループウェア管理サーバ１が行き先管理サーバ３としての機能を備えていてもよい。この場合、携帯端末４は、グループウェア管理サーバ１と直接通信を行うようにすればよい。
【００２７】
図２から図７に、本実施例に係る行き先管理サーバ３が使用するデータの例を示し、図面に基づいて各データについて説明をする。
図２は、グループウェアのメンバに関する位置情報及びエリア情報を定義するデータの例（以下、エリアファイル５という）を示している。
【００２８】
同図に示すエリアファイル５は、グループウェアのメンバ名と、そのメンバが所有する携帯端末４である携帯電話の電話番号と、グループウェアのメンバの移動先又は移動すると思われる場所に関する位置情報と、その位置情報が示す位置が属するエリアに関するエリア情報と、から成っている。
【００２９】
同図に示す位置情報は、グループウェアのメンバが過去において移動した移動先又は今後予定している移動先に関する情報であり、グループウェアのメンバ自身によって予め設定される情報である。
【００３０】
同図に示すエリア情報は、グループウェアのメンバが位置情報に示す位置にいる場合に、何を目的として行動するエリアであるかを示す情報であり、本実施例においては、「会社」は、業務を遂行するために行動するエリアを示し、「自宅」は、業務を遂行するため以外に行動するエリアを示している。
【００３１】
また、エリア情報についても、グループウェアのメンバ自身によって予め設定される情報である。
なお、本実施例においては、エリア情報として「会社」、「自宅」及び「その他」の３つの情報を使用しているが、これに限定するものではなく、目的や用途に応じてより細かくエリア情報を設定してもよい。
【００３２】
図３は、図２で定義されたエリア情報及び時間帯に応じた表示メニューを定義するデータ（以下、メニューファイル６という）の例を示している。
同図に示すメニューファイル６は、グループウェアのメンバ名と、そのメンバが所有する携帯端末４である携帯電話の電話番号と、図２に示したエリア情報と、時間帯と、この時間帯における前記エリア情報において予想される（又は、予定している）行動を示すものであって、携帯端末４に表示する表示メニューと、携帯端末４に表示する帰社予定時間を設定するための帰社予定時間画面１１を表示させるための帰社予定時間画面フラグと、から成っている。
【００３３】
例えば、同図に示すメニューファイル６には、グループウェアのメンバであるメンバＡについての図２で定義したエリア情報及び時間帯に応じた表示メニューの定義の例の一部を示している。
【００３４】
ここでは、エリア情報が「自宅」である場合であって、時間帯が「０：００〜９：００」の場合には、携帯端末４に表示する表示項目の候補として、「遅刻」、「午前休」、「休み」、「Ｃ社直行」、「その他」の５つの項目が表示メニューに定義されている。
【００３５】
また、帰社予定時間画面フラグには、「０」又は「１」を設定する。「１」を設定した場合には、対応する表示メニューの表示項目が選択された場合に、帰社予定時間画面１１（図８を参照）が表示される。一方、「０」を設定した場合には、帰社予定時間画面は表示されない。
【００３６】
例えば、表示メニューの「Ｃ社直行」に対応する帰社予定時間画面フラグには、「１」が設定されているので、携帯端末４上に表示された表示メニュー「Ｃ社直行」をメンバＡが選択すると、携帯端末４からの通知を受けた行き先管理サーバ３は、帰社予定時間画面を表示させるためのデータを生成して携帯端末４に送信する。そして、携帯端末４上に帰社予定時間画面が表示されることとなる。
【００３７】
エリア情報、時間帯、表示メニュー、及び帰社予定時間画面フラグは、グループウェアのメンバ自身によって予め設定される情報である。
ここで、表示メニューは、同図に示した表示メニュー項目（例えば、「遅刻」、「午前休」など）に限定されない。メニューファイル６を設定するメンバＡのスケジュール等に合わせて適宜設定すればよい。
【００３８】
また、同図に示した帰社予定時間画面フラグは、「０」又は「１」によって設定したが、これに限定されない。表示メニューに定義した表示メニュー項目（例えば、「遅刻」、「午前休」など）を選択した場合に、帰社予定時間画面を表示するか否かが判別可能であればよい。
【００３９】
図４は、グループウェアのメンバに関する位置情報及びその位置情報を取得した時間についての履歴データ（以下、履歴ファイル７という）の例を示している。
同図に示す履歴ファイル７は、グループウェアのメンバ名と、そのメンバが所有する携帯端末４である携帯電話の電話番号と、行き先管理サーバ３が一定時間ごとに携帯端末４から位置情報を取得して図示しない記憶装置に記憶した時の記憶時間と、携帯端末４から取得した携帯端末４の位置情報と、から成っている。
【００４０】
図５は、グループウェアのメンバが移動する方面に応じた表示メニューを定義するデータ（以下、同図（ａ）を自宅方面ファイル８、同図（ｂ）を会社方面ファイル９という）の例を示している。
【００４１】
同図（ａ）に示す自宅方面ファイル８は、履歴ファイル７に基づいて自宅方面と決定された場合に、図３に示した表示メニューで定義された表示メニュー項目をさらに絞り込むために使用するメニューファイルである。
【００４２】
同図（ａ）に示す自宅方面ファイル８は、「帰宅」、「午前休」、「午後休」、及び「休み」の表示メニュー項目から成っており、履歴ファイル７に基づいて自宅方面と決定された場合には、図３に示した表示メニューで定義された表示メニュー項目と、自宅方面ファイル８で定義された表示メニュー項目とが一致する表示メニュー項目のみを携帯端末４に表示させる。
【００４３】
同様に、同図（ｂ）に示す会社方面ファイル９は、「電故（電車故障による遅刻）」、「遅刻（電故以外の遅刻）」、及び「自社へ移動」の表示メニュー項目からなっており、履歴ファイル７に基づいて会社方面と決定された場合には、図３に示した表示メニューで定義された表示メニュー項目と、会社方面ファイル９で定義された表示メニュー項目とが一致する表示メニュー項目のみを携帯端末４に表示させる。
【００４４】
図６は、図２で定義した位置から会社までの所要時間及び自宅までの所要時間を定義するデータ（以下、所要時間ファイル１０という）の例を示している。
同図に示す所要時間ファイル１０は、図２で定義した位置情報と、グループウェアのメンバが所有する携帯電話の電話番号と、位置情報が示す位置から会社までの移動時間（以下、会社までの所要時間という）と、位置情報に示す位置から自宅までの移動時間（以下、自宅までの所要時間という）とから成っている。
【００４５】
図７は、図３示したメニューファイル６に定義したエリア情報及び時間帯と、表示メニューとの関係を示した図である。
同図に示すように、図３に示したメニューファイル６の定義によって、エリア情報と時間帯とから表示メニューが決定される。
【００４６】
例えば、携帯端末４のエリアが「自宅」（行き先管理サーバ３が携帯端末４から取得した位置情報に対応する図２に定義したエリア情報が「自宅」）の場合であって、現在の時刻が時間帯「０〜９：００」の範囲内である場合、行き先管理サーバ３は、「遅刻」、「午前休」、「休み」、「Ｃ社直行」、及び「その他」の５つの表示メニュー項目を携帯端末４上に表示させるためにデータを生成することとなる。
【００４７】
また、図３に示したように、表示メニュー項目「Ｃ社直行」に対応する帰社予定時間画面フラグが「１」に設定された場合、メンバが携帯端末４に表示されている「Ｃ社直行」を選択すると、その選択情報は、行き先管理サーバ３に送信され、行き先管理サーバ３は、図８に示す帰社予定時間画面１１を表示するためのデータを生成して携帯端末４に送信することとなる。
【００４８】
図９は、本実施例に係るスケジュールの更新処理を示すフローチャートである。
以下の処理において、行き先管理サーバ３における処理は、行き先管理サーバ３に備わるＣＰＵが、所定のプログラムの命令に従って処理を行なうものであり、携帯端末４における処理は、携帯端末４に備わるＣＰＵが、所定のプログラムの命令に従って処理を行なうものであるが、本実施例に係るスケジュールの更新処理の機能分担を明確にするために、以下の説明においては、行き先管理サーバ３における処理の主体を、「行き先管理サーバ３」として記載する。同様に携帯端末４における処理の主体を、「携帯端末４」として記載する。
【００４９】
同図に示すフローチャートは、行き先管理サーバ３における処理と携帯端末４における処理によって実現するスケジュールの更新処理を示している。
行き先管理サーバ３は、ステップＳ９０１において、携帯端末４から定期的に送られてくる位置情報を取得し、行き先管理サーバ３が備える記憶装置の所定のアドレスに格納されている履歴ファイル７に、取得した位置情報についてのメンバ名と電話番号、位置情報を取得した時間（記憶時間）、及び位置情報を随時格納する処理を行なう。
【００５０】
ステップＳ９０２において、メンバが携帯端末４上で動作するソフトウェア（例えば、Ｗｅｂブラウザ）から行き先管理サーバ３に対して位置情報、携帯端末４の電話番号を送信し、スケジュールの更新に必要なメニュー画面データを要求すると、スケジュールの更新処理が開始することとなる。
【００５１】
行き先管理サーバ３は、携帯端末４からの要求に応じて、ステップＳ９０３に処理を移行し、携帯端末４から送信された電話番号及び現在の位置情報を一時的に記憶するためのメモリ（例えば、ＲＡＭ）に格納する（ステップＳ９０３、ステップＳ９０４）。
【００５２】
携帯端末４から電話番号及び現在の位置情報を取得すると、行き先管理サーバ３は、処理をステップＳ９０５に移行し、行き先管理サーバ３が備える記憶装置の所定のアドレスに格納されているエリアファイル５から１のエリア情報に関するデータ（電話番号、位置情報、及びエリア情報）を読出す。そして、以下のステップＳ９０５からステップ９１０の処理によってエリア情報を決定する。
【００５３】
ステップＳ９０６において、ステップＳ９０５で読み出したデータ（例えば、メンバ名）を参照し、データの終わりを示すデータ（例えば、ｎｕｌｌ文字）であるかを判別する処理を行なう。
【００５４】
ステップＳ９０５で読み出したデータ（例えば、メンバ名）がデータの終わりを示す文字である場合（全てのデータについて処理を行なった場合）には、ステップＳ９０７に処理を移行し、エリア情報を格納するメモリ領域に「その他」を格納する。
【００５５】
ステップＳ９０８において、ステップＳ９０５で読み出したデータがデータの終わりを示す文字でない場合には、ステップＳ９０３の処理で取得した電話番号と、ステップＳ９０５の処理によって読み出した電話番号とを比較する処理を行なう。
【００５６】
ステップＳ９０８において、電話番号が不一致の場合には、行き先管理サーバ３は、処理をステップＳ９０５に移行してステップＳ９０５の処理から開始する。この場合には、ステップＳ９０５において既に読み出した次のエリア情報に関するデータを読み出すこととなる。
【００５７】
ステップＳ９０８において、電話番号が一致した場合には、行き先管理サーバ３は、ステップＳ９０９に処理を移行して、ステップＳ９０４の処理で取得した現在の位置情報とステップＳ９０５の処理によって読み出した現在の位置情報とを比較する処理を行なう。
【００５８】
ステップＳ９０９において、現在の位置情報が不一致の場合には、行き先管理サーバ３は、処理をステップＳ９０５に移行してステップＳ９０５から処理を開始する。この場合には、ステップＳ９０５において既に読み出した次のエリア情報に関するデータを読み出すこととなる。
【００５９】
ステップＳ９０９において、現在の位置情報が一致した場合には、行き先管理サーバ３は、処理をステップＳ９１０に移行し、ステップＳ９０５の処理によって読み出したエリア情報をエリア情報を格納するメモリ領域に格納する。
【００６０】
ステップＳ９１０においてエリア情報が取得されると、行き先管理サーバ３は、処理をステップＳ９１１に移行して現在の時間を取得する。
現在の時間を取得すると、行き先管理サーバ３は、処理をステップＳ９１２に移行して行き先管理サーバ３が備える記憶装置の所定のアドレスに格納されているメニューファイル６から１の表示メニューに関するデータ（電話番号、エリア情報、時間帯）を読み出す。そして、以下のステップＳ９１２からステップＳ２１８の処理によって、メニュー画面を生成して携帯端末４に送信する処理を行なう。
【００６１】
ステップＳ９１３において、行き先管理サーバ３は、ステップＳ９０３の処理によって取得した電話番号とステップＳ９１２の処理によって読み出した電話番号とを比較する処理を行なう。
【００６２】
ステップＳ９１３において、電話番号が不一致の場合には、処理をステップＳ９１２に移行し、メニューファイル６から既に読み出した次の表示メニューに関するデータを読出す。
【００６３】
ステップＳ９１３において、電話番号が一致した場合には、処理をステップＳ９１４に移行して、ステップＳ９１０の処理によって決定したエリア情報とステップＳ９１２の処理によって読み出したエリア情報とを比較する処理を行なう。
【００６４】
ステップＳ９１４において、エリア情報が不一致の場合には、処理をステップＳ９１２に移行し、メニューファイル６から既に読み出した次の表示メニューに関するデータを読み出す。
【００６５】
ステップＳ９１４において、エリア情報が一致した場合には、処理をステップＳ９１５に移行して、ステップＳ９１１の処理によって取得した時間とステップＳ９１２の処理によって読み出した時間帯とを比較する処理を行なう。
【００６６】
ステップＳ９１５において、ステップＳ９１１の処理によって取得した時間がステップＳ９１２の処理によって読み出した時間帯の範囲内でない場合には、処理をステップＳ９１２に移行し、メニューファイル６から既に読み出した次の表示メニューに関するデータを読出す。
【００６７】
ステップＳ９１５において、ステップＳ９１１の処理によって取得した時間がステップＳ９１２の処理によって読み出した時間帯の範囲内である場合には、処理をステップＳ９１６に移行し、エリア情報が「その他」であるかを判別する処理を行なう。
【００６８】
ステップＳ９１６の処理において、エリア情報が「その他」でない場合には、処理をステップＳ９１８に移行し、ステップＳ９１２からステップＳ９１６の処理によって確定した電話番号、エリア情報、及び時間帯に対応する表示メニュー項目をメニューファイル６から読出して、携帯端末４に表示させるためのデータを生成し、要求のあった携帯端末４に対して送信する。
【００６９】
また、後述するステップＳ９１７からステップＳ９１８に処理を移行した場合には、ステップＳ９１７の処理によって決定した表示メニュー項目を一時的に記憶する図示しないメモリ領域から読み出して、携帯端末４に表示させるためのデータを生成し、要求のあった携帯端末４に対して送信する。
【００７０】
ここで、携帯端末４に表示させるためのデータとしては、例えば、Ｗｅｂブラウザに表示させるためのデータ形式である、ＸＭＬ（ｅＸｔｅｎｓｉｂｌｅ  Ｍａｒｋｕｐ  Ｌａｎｇｕａｇｅ）やＨＴＭＬ（Ｈｙｐｅｒ  Ｔｅｘｔ  Ｍａｒｋｕｐ  Ｌａｎｇｕａｇｅ）等を使用すればよい。
【００７１】
ステップＳ９１６において、エリア情報が「その他」である場合には、処理をステップＳ９１７に移行し、履歴ファイル７から方面情報を決定し、この方面情報と図５に示した方面ファイル９とに基づいて、ステップＳ９１２からステップＳ９１６の処理によって確定した電話番号、エリア情報、及び時間帯に対応する表示メニュー項目を更に絞り込む処理を行なう。
【００７２】
携帯端末４は、行き先管理サーバ３からメニュー画面データを受信すると、処理をステップＳ９１９に移行して携帯端末４が備える表示画面にメニュー画面の表示を行なう。
ステップＳ９１９の処理によってメニュー画面が表示されると、携帯端末４の操作者であるメンバは、表示された表示メニュー項目からスケジュールを選択することとなる。
【００７３】
携帯端末４は、操作者によって表示メニュー項目が選択されると、行き先管理サーバ３に選択された表示メニュー項目を通知する。
行き先管理サーバ３は、携帯端末４から選択された表示メニュー項目の通知を受けると、処理をステップＳ９２１に移行して選択されたスケジュールを受信することとなる。
【００７４】
スケジュールの受信処理が完了すると、行き先管理サーバ３は、処理をステップＳ９２２に移行し、ステップＳ９１７の処理によって決定した方面情報及びメニューファイル６の帰社予定時間画面フラグに基づいて各ステップに移行する。
【００７５】
ステップＳ９２２において、方面が「会社方面」である場合には処理をステップＳ９２３に移行し、会社への到着予定時間を算出する。
また、ステップＳ９２２において、行き先管理サーバ３は、メニューファイル６を読出し、ステップＳ９２１の処理によって取得した選択された表示メニュー項目を検索し、該当するメニュー項目に対応する帰社予定時間画面フラグが「１」の場合には、処理をステップＳ９２４に移行し、図８に示した帰社予定時間画面１１を携帯端末４に表示するための表示データを生成して携帯端末４に送信する処理を行なう。
【００７６】
携帯端末４は、行き先管理サーバ３から表示データを受信すると、処理をステップＳ９２５に移行して、携帯端末４に備わる表示画面にを表示を行なう。
携帯端末４の操作者であるメンバは、携帯端末４に表示された帰社予定時間画面１１から帰社予定時間を選択する。
【００７７】
操作者によって帰社予定時間が選択されると、携帯端末４は、帰社予定時間が選択されたことを行き先管理サーバ３に通知し、合わせて選択された帰社予定時間の情報を送信する。
【００７８】
行き先管理サーバ３は、携帯端末４から帰社予定時間が選択されたことを通知されると、処理をステップＳ９２７に移行し、選択された帰社予定時間の情報を受信する。
ステップＳ９２８において、ステップＳ９１１の処理によって取得した時間情報と、ステップＳ９２７の処理によって取得した帰社予定時間の情報とから会社への到着予定時間を算出する。
【００７９】
以上の処理が終了すると、行き先管理サーバ３は、ステップＳ９２９に処理を移行して、グループウェア管理サーバ１に対してスケジュールの更新情報を送信して処理が終了する。
【００８０】
なお、グループウェア管理サーバ１は、行き先管理サーバ３からの受信したスケジュールの更新情報を、図示しないグループウェア管理サーバ１が備える記憶装置に格納されているスケジュール情報に反映することとなる。
【００８１】
図１０は、図９に示した本実施例に係るスケジュールの更新処理において更に表示メニュー項目を絞り込む処理（ステップＳ９１７）を示すフローチャートである。
図９に示したステップＳ９１６の処理においてエリア情報が「その他」の場合には、ステップＳ９１２からステップＳ９１５までの処理によって決定した表示メニュー項目を更に絞り込む処理を行なう。
【００８２】
ステップＳ１００１において、行き先管理サーバ３は、図示しない記憶装置の所定のアドレスに格納されている履歴ファイル７を読み出す処理を行い、ステップＳ１００２に処理を移行する。
【００８３】
ステップＳ１００２において、行き先管理サーバ３は、履歴ファイル７の最も現在時間に近い記憶時間に対応する位置情報から順次参照し、携帯端末４を所有しているメンバが移動している方面を決定する。
【００８４】
例えば、行き先管理サーバ３は、履歴ファイル７から最も現在時間に近い第１の記憶時間に対応する第１の位置情報を読出し、さらに、図６に示した所要時間ファイル１０を読出して第１の位置情報に対応する第１の会社までの所要時間を決定する。同様に、履歴ファイル７から第１の記憶時間の次に現在時間に近い第２の位置情報を読出し、さらに、所要時間ファイル１０から第２の位置情報に対応する第２の会社までの所要時間を決定する。そして、第１の会社までの所要時間と第２の会社までの時間とを比較し、第２の会社までの所要時間より第１の会社までの時間の方が小さい場に、方面を「会社方面」と判断すればよい。
【００８５】
また、同様にして、図６に示した所要時間ファイル１０から読み出した第１の位置情報に対応する第１の自宅までの所要時間と、図６に示した所要時間ファイル１０から読み出した第２の位置情報に対応する第２の自宅までの所要時間とを比較し、第２の自宅までの所要時間より第１の自宅までの所要時間の方が小さい場合に、方面を「自宅方面」と判断すればよい。
【００８６】
さらに、第１の位置情報又は第２の位置情報に対応する会社まので所要時間又は自宅までの所要時間が、所要時間ファイル１０にない場合には、方面が「会社方面及び自宅方面以外」と判断すればよい。
【００８７】
ステップＳ１００２において、方面が「会社方面」であると判断すると、行き先管理サーバ３は、処理をステップＳ１００３に移行し、図５（ｂ）に示した会社方面ファイル９を読出し、この会社方面ファイル９に格納されている表示メニュー項目と、ステップＳ９１２からステップＳ９１５までの処理によって決定した表示メニュー項目とを比較し、一致した表示メニュー項目のみを抽出して、処理をステップＳ９１８に移行する。
【００８８】
ステップ１００２において、方面が「自宅方面」であると判断すると、行き先管理サーバ３は、処理をステップＳ１００４に移行し、図５（ａ）に示した自宅方面ファイル８を読出し、この自宅方面ファイル８に格納されている表示メニュー項目と、ステップＳ９１２からステップＳ９１５までの処理によって決定した表示メニュー項目とを比較し、一致した表示メニュー項目のみを抽出して、処理をステップＳ９１８に移行する。
【００８９】
また、ステップＳ１００２において、方面が「会社方面及び自宅方面以外」であると判断すると、表示メニュー項目の絞り込みを行なわずにステップＳ９１８に処理を移行する。
【００９０】
図１１は、図９に示した本実施例に係るスケジュールの更新処理において会社への到着予定時間を算出する処理（ステップＳ９２３）を示すフローチャートである。
図９に示したステップＳ９２２において、該当するメニュー項目に対応する帰社予定時間画面フラグが「１」の場合には、行き先管理サーバ３は、ステップＳ１１０１に処理を移行して会社への到着予定時間を算出する処理を行なう。
【００９１】
ステップＳ１１０１において、所要時間ファイル１０から１の電話番号及びその電話番号に対応する位置情報を読出し、図９に示したステップＳ９０３の処理によって取得した電話番号と一致するデータを検索する（ステップＳ１１０２）。
【００９２】
ステップＳ１１０２の処理で、図９に示したステップＳ９０３の処理によって取得した電話番号と一致するデータを発見した場合には、処理をステップＳ１１０３に移行し、図９に示したステップＳ９０４の処理によって取得した位置情報と一致するデータを検索する処理を行なう。
【００９３】
ステップＳ１１０３の処理によって、図９に示したステップＳ９０４の処理によって取得した位置情報と一致するデータを発見した場合には、処理をステップＳ１１０４に移行する。
【００９４】
また、ステップＳ１１０２及びステップＳ１１０３の処理において、条件に一致しない場合には、ステップＳ１１０１に処理を移行して既に読み出した次の電話番号及びその電話番号に対応する位置情報を読出す処理を行なう。
【００９５】
ステップＳ１１０４において、所要時間ファイル１０からステップＳ１１０３によって決定した現在位置に対応する会社まので所要時間を読出し、図９に示したステップＳ９１１によって取得した現在の時間との和を求めることによって、会社到着時間を算出する処理を行なう。
【００９６】
図１２は、図９に示した本実施例に係るスケジュールの更新処理において会社への到着予定時間を算出する処理（ステップＳ９２８）を示すフローチャートである。
図９に示すステップＳ９２７の処理において、携帯端末４から選択された帰社予定時間を受信すると、行き先管理サーバ３は、以下に示す処理を行なう。
【００９７】
すなわち、ステップＳ１２０１において、図９に示したステップＳ９１１の処理によって取得した現在の時間と、図９に示したステップＳ９２７の処理によって取得した帰社予定時間との和を求めることによって、会社への到着予定時間を算出することとなる。
【００９８】
図１３は、本実施例に係るエリア情報が「その他」の場合においてスケジュール情報を更新する場合の具体例を示す図である。
同図に示す地下鉄線１２における位置情報は、グループウェアのメンバＡの自宅がある北千住１３と会社がある築地１４と出張先である霞ヶ関（Ｃ社）１５とその他上野１６及び銀座１７とから成っている。
【００９９】
同図では、メンバＡが遅刻している場合に、上野１６から午前９時にスケジュール情報を更新する場合を示している。
まず、メンバＡが携帯端末４上で動作するＷｅｂブラウザによって行き先管理サーバ３にアクセスし、スケジュールの更新を要求すると、行き先管理サーバ３は、ステップＳ９０５からステップＳ９０９の処理によって図２に示したエリアファイル５から該当するエリアを検索する。
【０１００】
図２に示すエリアファイル５の位置情報には、上野１６が定義されていないので、エリアは「その他」となる。
次に、行き先管理サーバ３は、ステップＳ９１２からステップＳ９１５の処理によってメニューファイル６から、電話番号、エリア情報（本例の場合は「上野」）及び現在の時間（本例の場合は「午前９時」）と一致する表示メニュー項目を検索し、表示メニュー項目１８が決まる。
【０１０１】
さらに、エリア情報が「その他」なので、図９に示したステップＳ９１６の処理によって表示メニュー項目１８の絞り込みが行なわれる。
履歴ファイル７には、メンバＡが所有する携帯端末４から取得した位置情報及びその取得した時間が記憶されているので、行き先管理サーバ３は、図１０に示したステップＳ１００２の処理によって方面が「会社方面」であると判断することとなる。
【０１０２】
そして、図５（ｂ）に示した会社方面ファイル９の表示メニュー項目と、図９に示したステップＳ９１６の処理によって決定した表示メニュー項目１８とを比較して一致している表示メニュー項目のみを抽出して、携帯端末４にその表示データを送信して、同図に示す表示メニュー項目１９が携帯端末４に表示される。
【０１０３】
ここで、メンバＡが、表示メニュー項目１９から「遅刻」を選択すると、携帯端末４は、選択した表示メニュー項目を行き先管理サーバ３に送信するので、行き先管理サーバ３は、図９に示したステップＳ９２３の処理によって、図６に示した所要時間ファイル１０の位置情報から上野１６を検索し、会社までの所要時間を取得し、会社への到着予定時間を算出する。本例の場合には、現在の時刻が９時であり、図６に定義された所要時間ファイル１０における位置情報が上野１６に対応する会社までの所要時間が２０分であるので、到着予定時間は、９時２０分となる。
【０１０４】
図１４は、本実施例に係るエリア情報が「会社」である場合においてスケジュール情報を更新する場合の具体例を示す図である。
同図では、メンバＡが出張先での移動中にスケジュール情報を更新する場合を示している。
【０１０５】
まず、メンバＡが携帯端末４上で動作するＷｅｂブラウザによって行き先管理サーバ３にアクセスし、スケジュールの更新を要求すると、行き先管理サーバ３は、ステップＳ９０５からステップＳ９０９の処理によって図２に示したエリアファイル５から該当するエリアを検索する。
【０１０６】
図２に示すエリアファイル５の位置情報から銀座１７に対応するエリアは「会社」であると特定できる。
次に、行き先管理サーバ３は、ステップＳ９１２からステップＳ９１５の処理によってメニューファイル６から、電話番号、エリア情報（本例の場合は「銀座」）及び現在の時間（本例の場合は「午後２時）と一致する表示メニュー項目を検索し、表示メニュー項目２０が決まり、携帯端末４にその表示データを送信して、同図に示す表示メニュー項目２０が携帯端末４に表示される。
【０１０７】
ここで、メンバＡが、表示メニュー項目２０から「Ｃ社へ移動」を選択すると、携帯端末４は、選択した表示メニュー項目を行き先管理サーバ３に送信するので、行き先管理サーバ３は、図９に示したステップＳ９２４の処理によって、図８に示した帰社予定時間画面１１を表示させるためのデータを生成して携帯端末４に送信して、同図に示す帰社予定時間画面１１が携帯端末４に表示される。
【０１０８】
メンバＡが、帰社予定時間画面１１から「２時間後」を選択すると、携帯端末４は、選択した帰社予定時間を行き先管理サーバ３に送信するので、行き先管理サーバ３は、図９に示したステップＳ９２８の処理によって、携帯端末４から送られた帰社予定時間（本例の場合は「２時間後」）とステップＳ９１１の処理によって取得した現在の時間（本例の場合は「午後２時」）との和を求めることによって、会社への到着予定時間が午後４時となる。
【０１０９】
なお、以上の説明において、データの終わりを示すデータとしてｎｕｌｌ文字を使用したが、これに限定するものではなく、行き先管理サーバ３がデータの終わりと判断できるように予め決められた文字又は記号を使用すればよい。
【０１１０】
以上に説明したように、携帯端末４の使用者の位置情報及びその位置情報を取得した時間から、変更すると思われるスケジュール情報のみを携帯端末４上に表示することによって、使用者は、携帯端末４上に表示される表示メニュー項目から選択する簡易な操作によって、スケジュール情報の更新を行なうことが可能となる。
【０１１１】
（付記１）
携帯端末において選択可能に表示させるメニュー項目を表示メニュー記憶手段に記憶する表示メニュー記憶処理と、
前記携帯端末についての現在の位置情報を取得する位置情報取得処理と、
現在の時間情報を取得する時間情報取得処理と、
前記位置情報取得処理によって取得した現在の位置情報と前記時間情報取得処理によって取得した現在の時間情報とに基づいて、前記表示メニュー記憶手段に記憶されているメニュー項目の絞り込みを行なう表示メニュー絞り込み処理と、
該表示メニュー絞り込み処理によって得られたメニュー項目を前記携帯端末に表示させるためのデータを生成して送信する表示メニュー生成処理と、
をコンピュータに実行させることを特徴とするスケジュール変更のためのプログラム。
【０１１２】
（付記２）
前記表示メニュー記憶手段は、前記携帯端末についての位置情報と時間情報とに対応するメニュー項目を記憶し、
前記表示メニュー絞り込み処理は、前記表示メニュー記憶手段に記憶されているメニュー項目についての前記位置情報及び時間情報と、前記位置情報取得処理によって取得した現在の位置情報及び前記時間情報取得処理によって取得した現在の時間情報と、を比較する比較処理と、
該比較処理の結果が一致する前記メニュー項目を抽出することによって絞り込みを行なう処理と、
を含むことを特徴とする付記１に記載のスケジュール変更のためのプログラム。
【０１１３】
（付記３）
前記位置情報取得処理によって取得した過去の位置情報と、前記時間情報取得処理によって取得した過去の時間情報とを履歴情報記憶手段に記憶する履歴情報記憶処理と、
該履歴情報記憶手段に記憶されている１の過去の時間情報に対応する過去の位置情報と、他の過去の時間情報に対応する過去の位置情報とを比較し、該比較結果から前記携帯端末の移動する方面を判別する移動方面判別処理と、
移動方面に応じた前記メニュー項目を移動方面表示メニュー記憶手段に記憶する移動方面表示メニュー記憶処理と、
該移動方面表示メニュー記憶手段に記憶されているメニュー項目であって前記移動方面判別処理によって判別された方面に対応するメニュー項目と、前記表示メニュー絞り込み処理によって得られたメニュー項目と、を比較する比較処理と、
該比較結果が一致するメニュー項目についての前記データを前記表示メニュー生成処理によって生成して送信する処理と、
をコンピュータに実行させることを特徴とする付記２に記載のスケジュール変更のためのプログラム。
【０１１４】
（付記４）
前記携帯端末についての位置から所定の位置までの移動にかかる所要時間を所要時間記憶手段に記憶する所要時間記憶処理と、
該所要時間記憶手段から、前記位置情報取得処理によって取得した現在の位置情報に対応する前記所定の位置までの前記所要時間を読み出し、該読み出した所要時間と前記時間情報取得処理によって取得した現在の時間情報とから、前記所定の位置に到着する時刻を算出する到着時間算出処理と、
をコンピュータに実行させることを特徴とする付記１から３のいずれか一項に記載のスケジュール変更のためのプログラム。
【０１１５】
（付記５）
携帯端末において選択可能に表示させるメニュー項目を記憶する表示メニュー記憶手段と、
前記携帯端末についての現在の位置情報を取得する位置情報取得手段と、
現在の時間情報を取得する時間情報取得手段と、
前記位置情報取得手段によって取得した現在の位置情報と前記時間情報取得手段によって取得した現在の時間情報とに基づいて、前記表示メニュー記憶手段に記憶したメニュー項目から前記携帯端末に表示するメニュー項目を生成するメニュー項目生成手段と、
該メニュー項目生成手段によって得られたメニュー項目を前記携帯端末に表示させるためのデータを生成して送信する表示メニュー生成手段と、
を備えることを特徴とするスケジュール変更装置。
【０１１６】
（付記６）
携帯端末において選択可能に表示させるメニュー項目を記憶する表示メニュー記憶手段と、
前記携帯端末についての現在の位置情報を取得する位置情報取得手段と、
現在の時間情報を取得する時間情報取得手段と、
前記位置情報取得手段によって取得した現在の位置情報と前記時間情報取得手段によって取得した現在の時間情報とに基づいて、前記表示メニュー記憶手段に記憶したメニュー項目の絞り込みを行なう表示メニュー絞り込み手段と、
該表示メニュー絞り込み手段によって得られたメニュー項目を前記携帯端末に表示させるためのデータを生成して送信する表示メニュー生成手段と、
を備えることを特徴とするスケジュール変更装置。
【０１１７】
（付記７）
前記表示メニュー記憶手段は、前記携帯端末についての位置情報と時間情報とに対応するメニュー項目を記憶し、
前記表示メニュー絞り込み手段は、前記表示メニュー記憶手段に記憶されたメニュー項目についての前記位置情報及び時間情報と、前記位置情報取得手段によって取得した現在の位置情報及び前記時間情報取得手段によって取得した現在の時間情報と、を比較し、該比較結果が一致する前記メニュー項目を抽出することによって絞り込みを行なうことを特徴とする付記５又は６に記載のスケジュール変更装置。
【０１１８】
（付記８）
前記位置情報取得手段によって取得した過去の位置情報と、前記時間情報取得手段によって取得した過去の時間情報とを記憶する履歴情報記憶手段と、
該履歴情報記憶手段に記憶されている１の過去の時間情報に対応する過去の位置情報と、他の過去の時間情報に対応する過去の位置情報とを比較し、該比較結果から前記携帯端末の移動する方面を判別する移動方面判別手段と、
移動方面に応じた前記メニュー項目を記憶する移動方面表示メニュー記憶手段と、
を更に備え、
該移動方面表示メニュー記憶手段に記憶されたメニュー項目であって前記移動方面判別手段によって判別された方面に対応するメニュー項目と、前記表示メニュー絞り込み手段によって得られたメニュー項目と、を比較し、該比較結果が一致するメニュー項目についての前記データを前記表示メニュー生成手段によって生成して送信することを特徴とする付記７に記載のスケジュール変更装置。
【０１１９】
（付記９）
前記携帯端末についての位置から所定の位置までの移動にかかる所要時間を記憶する所要時間記憶手段と、
該所要時間記憶手段から、前記位置情報取得手段によって取得した現在の位置情報に対応する前記所定の位置までの前記所要時間を読み出し、該読み出した所要時間と前記時間情報取得手段によって取得した現在の時間情報とから、前記所定の位置に到着する時刻を算出する到着時間算出手段と、
を備えることを特徴とする付記５から８のいずれか一項に記載のスケジュール変更装置。
【図面の簡単な説明】
【０１２０】
【図１】本実施例に係る全体構成の例の概要を示す図である。
【図２】本実施例に係るグループウェアのメンバに関する位置情報とエリア情報を定義するデータの例を示す図である。
【図３】図２で定義されたエリア情報及びその時間帯に応じたメニューを定義するデータの例を示している。
【図４】グループウェアのメンバに関する位置情報及びその位置情報を取得した時間についての履歴データの例を示す図である。
【図５】グループウェアのメンバが移動する方面に応じた表示メニューを定義するデータの例を示す図である。
【図６】図２で定義した位置から会社までの所要時間及び自宅までの所要時間を定義するデータの例を示す図である。
【図７】図３示したメニューファイル６に定義したエリア情報及び時間帯と、表示メニューとの関係を示した図である。
【図８】本実施例に係る帰社予定時間画面の例を示す図である。
【図９】本実施例に係るスケジュールの更新処理を示すフローチャートである。
【図１０】本実施例に係るスケジュールの更新処理において更に表示メニュー項目を絞り込む処理を示すフローチャートである。
【図１１】本実施例に係るスケジュールの更新処理において会社への到着予定時間を算出する処理を示すフローチャートである。
【図１２】本実施例に係るスケジュールの更新処理において会社への到着予定時間を算出する処理を示すフローチャートである。
【図１３】本実施例に係るエリア情報が「その他」の場合においてスケジュール情報を更新する場合の具体例を示す図である。
【図１４】本実施例に係るエリア情報が「会社」である場合においてスケジュール情報を更新する場合の具体例を示す図である。
【符号の説明】
【０１２１】
１      グループウェア管理サーバ
２      固定端末
３      行き先管理サーバ
４      携帯端末
５      エリアファイル
６      メニューファイル
７      履歴ファイル
８      自宅方面ファイル
９      会社方面ファイル
１０      所要時間ファイル
１１      帰社予定時間画面
【図１】
2006054589.tif 000003
【図２】
2006054589.tif 000004
【図３】
2006054589.tif 000005
【図４】
2006054589.tif 000006
【図５】
2006054589.tif 000007
【図６】
2006054589.tif 000008
【図７】
2006054589.tif 000009
【図８】
2006054589.tif 000010
【図９】
2006054589.tif 000011
【図１０】
2006054589.tif 000012
【図１１】
2006054589.tif 000013
【図１２】
2006054589.tif 000014
【図１３】
2006054589.tif 000015
【図１４】
2006054589.tif 000016